(57)【要約】【課題】走査露光に係るスループットの向上に寄与する。【解決手段】露光光の照明領域に対して移動体を走査速度で等速移動させる等速工程Ｔ’２と、移動体を走査速度から減速させる減速工程Ｔ３とを含み、等速工程中Ｔ’２に移動体を用いて走査露光を行う。走査露光終了時に減速工程Ｔ３を開始する。【選択図】      図７
2004172470.tif 000002
【特許請求の範囲】
【請求項１】
露光光の照明領域に対して移動体を走査速度で等速移動させる等速工程と、前記移動体を前記走査速度から減速させる減速工程とを含み、前記等速工程中に前記移動体を用いて走査露光を行う走査型露光方法であって、
前記走査露光終了時に前記減速工程を開始することを特徴とする走査型露光方法。
【請求項２】
請求項１記載の走査型露光方法において、
前記減速工程を前記走査露光終了時に開始する第１モードと、前記走査露光終了後、所定時間経過後に開始する第２モードとを有することを特徴とする走査型露光方法。
【請求項３】
請求項２記載の走査型露光方法において、
前記移動体の前記減速工程終了時の位置と、次の走査露光の前記走査速度への加速開始位置との位置関係に基づいて、前記第１モードと前記第２モードとを選択することを特徴とする走査型露光方法。
【請求項４】
請求項１から３のいずれかに記載の走査型露光方法において、
前記移動体は、パターンを有するマスクと、前記マスクに対する前記照明領域の範囲を規制するブラインドと、前記パターンの像が転写される基板との少なくとも一つであることを特徴とする走査型露光方法。
【請求項５】
加速工程で走査速度まで加速され、等速工程で露光光の照明領域に対して前記走査速度で等速移動し、減速工程で前記走査速度から減速され、前記等速工程中に走査露光が行われるマスク及び基板に対して、前記照明領域の範囲を規制するブラインドの駆動方法であって、
前記ブラインドを少なくとも前記加速工程開始時から前記減速工程終了時まで前記マスク又は基板に追従移動させることを特徴とするブラインド駆動方法。
【請求項６】
請求項５記載のブラインド駆動方法において、
前記マスク又は基板の位置を計測し、計測した結果に基づいて前記ブラインドを移動させることを特徴とするブラインド駆動方法。
【請求項７】
請求項５または６記載のブラインド駆動方法において、
前記ブラインドを前記等速移動方向、該等速移動方向および前記露光光の光軸方向と略直交する方向、前記光軸周り方向に関して前記マスク又は基板に追従移動させることを特徴とするブラインド駆動方法。
【請求項８】
請求項５から７のいずれかに記載のブラインド駆動方法において、
前記マスクと同期移動して該マスクのパターン像が転写される前記基板に、前記マスクを追従移動させることを特徴とするブラインド駆動方法。
【請求項９】
露光光の照明領域に対して移動するマスクに追従移動して、前記マスクに対する前記照明領域の範囲を規制するブラインドを備えた照明領域規制装置であって、
前記ブラインドを前記露光光の光軸周りに駆動する駆動装置を有することを特徴とする照明領域規制装置。
【請求項１０】
請求項９記載の照明領域規制装置において、
前記駆動装置は、電歪素子であることを特徴とする照明領域規制装置。
【請求項１１】
請求項９または１０記載の照明領域規制装置において、
前記駆動装置は、前記ブラインドを前記照明領域に対する前記マスクの移動方向と、該マスクの移動方向及び前記露光光の光軸と略直交する方向とに関して駆動することを特徴とする照明領域規制装置。
【請求項１２】
請求項９から１１のいずれかに記載の照明領域規制装置において、
前記マスクの位置情報を計測する計測装置と、
該計測装置の計測結果に基づいて前記駆動装置を制御する制御装置とを有することを特徴とする照明領域規制装置。
【請求項１３】
露光光の照明領域に対してマスクと基板とを同期移動して前記マスクのパターン像を前記基板に転写する走査型露光装置であって、
前記マスクに追従移動して前記マスクに対する前記照明領域の範囲を規制する照明領域規制装置として、請求項９から１２のいずれか１項に記載の照明領域規制装置が用いられることを特徴とする走査型露光装置。
【発明の詳細な説明】
【０００１】
【発明の属する技術分野】
本発明は、マスクに対する照明領域の範囲を規制するブラインドの駆動方法と照明領域規制装置、および露光光の照明領域に対してマスクと基板とを同期移動してマスクのパターン像を基板に転写する走査型露光方法並びに走査型露光装置に関するものである。
【０００２】
【従来の技術】
従来、半導体素子等を製造するためのフォトリソグラフィ工程では、マスクとしてのレチクル上にほぼ正方形状の照明領域を設定し、該照明領域内のパターンを投影光学系を介して感光性基板としてのウエハ（又はガラスプレート等）上に露光するステッパー等の一括露光方式の投影露光装置が多用されていた。これに対して最近は、半導体素子等のチップパターンの大型化に対応するために、より大きなレチクルのパターンをウエハ上の各ショット領域に転写することが求められている。ところが、広い露光フィールドの全面でディストーションや像面湾曲等の収差を所定の許容値以下に抑制した投影光学系の設計及び製造は困難である。
【０００３】
そのため、最近ではレチクル上に長方形又は円弧状等のスリット状の照明領域を設定し、該照明領域内のパターンを投影光学系を介してウエハ上に投影した状態で、レチクルとウエハとを投影光学系に対して同期走査（同期移動）しながらレチクルのパターンをウエハ上の各ショット領域に逐次露光する走査ステップと、走査方向と略直交する方向にウエハをステップ移動させる移動ステップとを交互に繰り返すステップ・アンド・スキャン方式等の走査露光型の投影露光装置が注目されている（特許文献１参照）。
【０００４】
この走査露光型の投影露光装置は投影光学系の有効露光フィールドにほぼ内接するスリット状の露光領域に対してウエハを走査しながら露光するため、投影光学系の有効露光フィールドの直径を最大限に利用できる他、走査方向への転写パターンの長さはその有効露光フィールドの直径よりも長くできるため、結果として大面積のレチクルのパターンを小さい収差でウエハ上に転写できる。
【０００５】
図１０は、ウエハ（基板）Ｗ（及び不図示のレチクル）を露光光の矩形照明領域Ａに対して相対移動させて、ウエハＷ上の複数のショット領域Ｓ１〜Ｓ６を露光する際の相対移動経路の例を簡略的に示す図である。この図に示すショット領域Ｓ１〜Ｓ６は、レチクルのパターンがそれぞれ転写される領域が走査方向（スキャン方向）であるＹ方向に２つ、ステップ移動方向（非スキャン方向）であるＸ方向に４つ、互いに区画されて配置されたものである。なお、実際には、位置が固定された照明領域Ａに対してウエハＷ（ショット領域）が移動するが、ここでは便宜上照明領域Ａがショット領域Ｓ１〜Ｓ６に対して移動するものとして説明する。
【０００６】
この場合、Ｘ方向に延在する照明領域Ａは、＋Ｙ方向に相対移動することでショット領域Ｓ１を露光した後に＋Ｘ方向にステップ移動する。続いて、走査方向を−Ｙ方向に反転してショット領域Ｓ２を露光する。このように、Ｙ方向への走査移動と、これと直交するＸ方向へのステップ移動とを繰り返すことにより、ウエハＷ上のショット領域Ｓ１〜Ｓ６を連続的に露光することが可能である。
【０００７】
この種の露光装置には、レチクル上の矩形照明領域を設定する固定レチクルブラインドの他に、レチクル上のパターン以外の不要な部分の露光を防止するために、レチクルとともに移動して固定レチクルブラインドによって設定されるレチクルＲ上の照明領域を更に制限する可動ブラインドが設けられている。
【０００８】
図１１に、走査露光における時間と可動ブラインドの速度との関係を示す。この図に示すように、各ショット領域に対する露光処理工程には、可動ブラインドを走査速度まで加速する加速工程Ｓｋ、走査速度で等速移動させる等速工程Ｓｔ、走査速度から減速させる減速工程Ｓｇが含まれている。また、等速工程Ｓｔには、走査速度まで加速された可動ブラインドを整定する整定時間Ｔｓ、実際に露光処理を行う露光時間Ｔｒ、露光終了後に空走する空走時間Ｔｋが含まれている。なお、この速度パターンは、可動ブラインドのみならず、レチクルステージ及びウエハステージも同様である。
【０００９】
従来、可動ブラインドは、走査時のレチクルの移動方向に対応する一方向で往復移動しており、図１０に示すショット領域Ｓ１〜Ｓ６の配列では、例えばショット領域Ｓ１への露光終了時のＹ方向の位置がショット領域Ｓ２へ露光する際の移動開始位置とするために、整定時間Ｔｓと同一の空走時間Ｔｋを設けている。
【００１０】
また、可動ブラインドの駆動については、加速開始から露光終了までの期間（図１１中、Ｔｂで示す）、一方向（Ｙ方向）に移動してレチクルステージ（すなわちレチクル）の位置に追従するように制御されるが、露光終了から次の加速開始までの間は一定距離空走後、可動ブラインド単体での減速カーブを設定し、設定したカーブに基づいて減速停止している。また、加速や減速時には追従のための遅れ量が伝播し、最後に追従するブラインドステージの遅れが大きくなってしまい、追従精度確保が厳しくなっていた。応答周波数から見た場合でも、レチクルステージ（マスクステージ）＞ウエハステージ（基板ステージ）≧ブラインドステージの順の帯域であり、レチクルステージは、ブラインドステージより高い応答周波数を有しているので、ブラインドステージを高応答で追従させることができなかった。そのため、整定時間の条件が厳しくなる傾向にあった。
また、ブラインドステージは、レチクルステージに追従して移動するため、レチクルステージ位置がウエハステージ位置と異なって移動すると、ブラインドもそれに追従し、ウエハ上の露光領域外をブラインド（遮光）することができなかった。
【００１１】
【特許文献１】
特開平４−１９６５１３号公報
【００１２】
【発明が解決しようとする課題】
しかしながら、上述したような従来のブラインド駆動方法と照明領域規制装置および走査型露光方法並びに走査型露光装置には、以下のような問題が存在する。
【００１３】
複数のショット領域に対して、連続して可動ブラインドの移動方向を反転させる場合は、空走時間Ｔｋを設けることで移動終了位置から次のショットの移動開始位置までの移動が不要になり効率的な駆動が可能になるが、図１０のショット領域Ｓ３、Ｓ４を連続して露光する場合のように、走査方向が同一のショット領域が連続する場合には、先のショット領域に対する走査移動が終了した後に、次のショット領域の走査開始位置まで逆方向に戻る必要が生じてしまう。このとき、先のショット領域に対する走査移動時に空走時間Ｔｋを設定していると、空走距離分だけ、次の走査開始位置まで戻る距離・時間が大きくなり、スループットが低下するという問題が生じる。この問題は、走査移動方向が交互に反転する場合でも、ショット領域列が切り替わる際（例えば図１０におけるショット領域Ｓ３を＋Ｙ方向で露光した後、ショット領域Ｓ４を−Ｙ方向走査で露光する場合）に生じてしまう。
【００１４】
一方、設定した減速カーブに基づいて可動ブラインドを減速停止させる場合、空走後の減速点検出や減速カーブ計算に誤差が含まれ、必ずしも正確な位置に位置決めすることができないため、次の走査開始前に誤差分の移動（前位置決め；図１１参照）を行う必要がありスループット低下の一因となりうる。また、加速・減速カーブ曲線はレチクルステージと同じ曲線にする必要があるが、常に高速化に向けた改良が重ねられるため、その都度レチクルステージに合わせたカーブを形成しなければならないという問題もあった。
【００１５】
さらに、可動ブラインドは、Ｙ方向に関してレチクルステージ（レチクル）と追従するように移動するが、走査露光中、Ｘ軸方向の位置ずれが大きい場合は、この方向にも追従する必要があり、同様に、光軸周りの回転成分についても大きな範囲で回転する場合には回転方向にも追従しないと、特にレチクルの回路パターンが大きい場合に誤差を生じる虞がある。そのため、固定レチクルブラインドや可動ブラインドに対しても、光軸周りの回転方向にもレチクルに追従させる必要に迫られていた。この問題は、可動ブラインドのみならず、レチクルステージやウエハステージの駆動に関しても同様に生じる。
【００１６】
本発明は、以上のような点を考慮してなされたもので、走査露光に係るスループットの向上に寄与できるブラインド駆動方法と照明領域規制装置および走査型露光方法並びに走査型露光装置を提供することを目的とする。
【００１７】
また、本発明の別の目的は、一方向に限られることなくレチクルの移動にブラインドが追従可能な照明領域規制装置および走査型露光方法並びに走査型露光装置を提供することである。
【００１８】
【課題を解決するための手段】
上記の目的を達成するために本発明は、実施の形態を示す図１ないし図８に対応付けした以下の構成を採用している。
本発明の走査型露光方法は、露光光の照明領域に対して移動体（１３Ｙ）を走査速度で等速移動させる等速工程（Ｔ２）と、移動体（１３Ｙ）を走査速度から減速させる減速工程（Ｔ３）とを含み、等速工程（Ｔ２）中に移動体（１３Ｙ）を用いて走査露光を行う走査型露光方法であって、走査露光終了時に減速工程（Ｔ３）を開始することを特徴とするものである。
【００１９】
従って、本発明の走査型露光方法では、連続する等速工程における移動体（１３Ｙ）の移動方向が同一の場合には、空走時間を設けずに走査露光終了後に減速工程を開始することで、空走時間で移動体（１３Ｙ）が空走してしまう距離分、次の走査開始位置までの移動距離を短くすることができる。また、移動体（１３Ｙ）の移動方向が交互に反転する場合には等速工程に、走査速度到達後の整定時間と同一の空走時間を設定することで、次の走査開始位置まで移動する必要がなくなり、露光処理に係るスループットを向上させることができる。この移動体としては、パターンを有するマスク（Ｒ）と、マスク（Ｒ）に対する照明領域の範囲を規制するブラインド（１３Ｙ）と、パターンの像が転写される基板（Ｗ）との少なくとも一つに適用可能である。
【００２０】
また、本発明のブラインド駆動方法は、加速工程で走査速度まで加速され、等速工程で露光光の照明領域に対して走査速度で等速移動し、減速工程で走査速度から減速され、等速工程中に走査露光が行われるマスク（Ｒ）及び基板（Ｗ）に対して、照明領域の範囲を規制するブラインド（１３Ｙ）の駆動方法であって、ブラインド（１３Ｙ）を少なくとも加速工程開始時から減速工程終了時までマスク（Ｒ）又は基板（Ｗ）に追従移動させることを特徴とするものである。
【００２１】
従って、本発明のブラインド駆動方法では、走査露光の連続動作が終了するまで、ブラインド（１３Ｙ）の駆動に関するコマンド送出を行う必要がなくなる。そのため、前位置決めや減速カーブの設定が不要になり、スループットの低下を防止することができる。また、ブラインド（ブラインドステージ）を基板ステージに追従させる構成にすれば、遅れ量の伝播や応答周波数の違いによる制御性の問題から解放され、基板上の露光領域以外を露光してしまうなどの問題が解消される。本手段により、ブラインド機能の意味が、従来はマスクに対するブラインドのためにあったものが、基板に対するブラインドのための機能を持つことになる。
【００２２】
そして、本発明の照明領域規制装置は、露光光の照明領域に対して移動するマスク（Ｒ）に追従移動して、マスク（Ｒ）に対する照明領域の範囲を規制するブラインド（１３Ｙ）を備えた照明領域規制装置（２８）であって、ブラインド（１３Ｙ）を露光光の光軸周りに駆動する駆動装置（１５）を有することを特徴とするものである。
【００２３】
従って、本発明の照明領域規制装置では、マスク（Ｒ）の移動方向のみならず、露光光の光軸周りにもブラインド（１３Ｙ）をマスク（Ｒ）に追従させることが可能になり、マスク（Ｒ）又は基板（Ｗ）の回転成分の移動に起因するパターンの転写誤差を防止することができる。
【００２４】
そして、本発明の走査型露光装置は、露光光の照明領域に対してマスク（Ｒ）と基板（Ｗ）とを同期移動してマスク（Ｒ）のパターン像を基板（Ｗ）に転写する走査型露光装置（１０）であって、マスク（Ｒ）に追従移動してマスク（Ｒ）に対する照明領域の範囲を規制する照明領域規制装置として、請求項９から１２のいずれか１項に記載の照明領域規制装置（２８）が用いられることを特徴とするものである。
【００２５】
従って、本発明の走査型露光装置では、マスク（Ｒ）の回転成分及び二次元の移動に起因するパターンの転写誤差を防止することができ、基板（Ｗ）上に形成されるパターンの転写精度を向上させることができる。
【００２６】
【発明の実施の形態】
以下、本発明のブラインド駆動方法と照明領域規制装置および走査型露光方法並びに走査型露光装置の実施の形態を、図１ないし図９を参照して説明する。ここでは、例えば露光装置として、レチクルとウエハとを同期移動しつつ、レチクルに形成された半導体デバイスの回路パターンをウエハ上に転写する、スキャニング・ステッパ（走査型露光装置）を使用する場合の例を用いて説明する。これらの図において、従来例として示した図１０と同一の構成要素には同一符号を付し、その説明を省略する。
【００２７】
図１には、本発明に係る走査型露光装置１０の全体構成が概略的に示されている。この露光装置１０は、マスクとしてのレチクルＲと、基板としてのウエハＷとを一次元方向（ここでは、図１における紙面内左右方向であるＹ軸方向とする）に同期移動しつつ、レチクルＲに形成された回路パターンを投影光学系ＰＬを介してウエハＷ上の各ショット領域に転写する、ステップ・アンド・スキャン方式の走査型露光装置、いわゆるスキャニング・ステッパである。
【００２８】
図１に示す露光装置１０は、光源１２からの露光用照明光によりレチクル（マスク）Ｒ上の矩形状（あるいは円弧状）の照明領域を均一な照度で照明する照明光学系ＩＯＰ、レチクルＲを保持して移動するレチクルステージ（マスクステージ）ＲＳＴ、レチクルＲから射出される照明光（パルス紫外光）をウエハ（基板）Ｗ上に投影する投影光学系ＰＬ、ウエハＷを保持して移動するウエハステージ（基板ステージ）ＷＳＴを備えている。
【００２９】
さらに、露光装置１０は、前記照明光学系ＩＯＰの一部，レチクルステージＲＳＴ，投影光学系ＰＬ，及びウエハステージＷＳＴ等を保持する本体コラム１４、本体コラム１４の振動を抑制あるいは除去する防振ユニット、及びこれらの制御系等を備えている。なお、ここで投影光学系ＰＬの光軸方向をＺ方向とし、このＺ方向と直交する方向でレチクルＲとウエハＷの同期移動方向をＹ方向とし、非同期移動方向をＸ方向とする。また、それぞれの軸周りの回転方向をθＺ、θＹ、θＸとする。
【００３０】
光源１２としては、ここでは波長１９２〜１９４ｎｍの間で酸素の吸収帯を避けるように狭帯化されたパルス紫外光を出力するＡｒＦエキシマレーザ光源が用いられており、この光源１２の本体は、半導体製造工場のクリーンルーム内の床面ＦＤ上に設置されている。光源１２には、不図示の光源制御装置が併設されており、この光源制御装置では、射出されるパルス紫外光の発振中心波長及びスペクトル半値幅の制御、パルス発振のトリガ制御、レーザチャンバ内のガスの制御等を行うようになっている。
【００３１】
なお、光源１２として、波長２４８ｎｍのパルス紫外光を出力するＫｒＦエキシマレーザ光源あるいは波長１５７ｎｍのパルス紫外光を出力するＦ２レーザ光源等用いても良い。また、光源１２をクリーンルームよりクリーン度が低い別の部屋（サービスルーム）、あるいはクリーンルームの床下に設けられるユーティリティスペースに設置しても構わない。
【００３２】
光源１２は、図１では作図の都合上その図示が省略されているが、実際には遮光性のベローズ及びパイプを介してビームマッチングユニットＢＭＵの一端（入射端）に接続されており、このビームマッチングユニットＢＭＵの他端（出射端）は、内部にリレー光学系を内蔵したパイプ１６を介して照明光学系ＩＯＰの第１照明光学系ＩＯＰ１に接続されている。ビームマッチングユニットＢＭＵ内には、リレー光学系や複数の可動反射鏡等（いずれも不図示）が設けられており、これらの可動反射鏡等を用いて光源１２から入射する狭帯化されたパルス紫外光（ＡｒＦエキシマレーザ光）の光路を第１照明光学系ＩＯＰ１との間で位置的にマッチングさせている。
【００３３】
照明光学系ＩＯＰは、第１照明光学系ＩＯＰ１と第２照明光学系ＩＯＰ２との２部分から構成されている。第１照明光学系ＩＯＰ１は、床面ＦＤに水平に載置された装置の基準となるフレームキャスタと呼ばれるベースプレートＢＰ上に設置されている。また、第２照明光学系ＩＯＰ２は、本体コラム１４を構成する後述する第２の支持コラム５２によって下方から支持されている。
【００３４】
第１照明光学系ＩＯＰ１は、所定の位置関係で配置されたミラー、可変減光器、ビーム成形光学系、オプティカルインテグレータ、集光光学系、振動ミラー、照明系開口絞り板、ビームスプリッタ、リレーレンズ系、及びレチクルブラインド機構を構成する可動視野絞りとしての可動レチクルブラインド（照明領域規制装置）２８等を備えている。光源１２からのパルス紫外光がビームマッチングユニットＢＭＵ及びリレー光学系を介して第１照明光学系ＩＯＰ１内に水平に入射すると、このパルス紫外光は、可変減光器のＮＤフィルタにより所定のピーク強度に調整された後、ビーム整形光学系により、オプティカルインテグレータに効率よく入射するようにその断面形状が整形される。
【００３５】
次いで、このパルス紫外光がオプティカルインテグレータに入射すると、射出端側に面光源、すなわち多数の光源像（点光源）から成る２次光源が形成される。これらの多数の点光源の各々から発散するパルス紫外光は、照明系開口絞り板上のいずれかの開口絞りを通過した後、露光光として可動レチクルブラインド２８に到達する。
【００３６】
可動レチクルブラインド２８は、図２に示すように、互いに間隔をあけて配置され走査方向であるＹ方向に延在する一対のガイド１１Ｙ、１１Ｙと、Ｘ方向に沿って延在し一端側がガイド１１Ｙ、１１Ｙに沿ってそれぞれ移動自在なブレード（移動体）１３Ｙ、１３Ｙと、ガイド１１Ｙ、１１Ｙの一端側にＸ方向に延在して配置されたガイド１１Ｘと、Ｙ方向に延在しガイド１１Ｘに沿ってそれぞれ独立して移動自在なブレード（移動体）１３Ｘ、１３Ｘとから構成されている。これらブレード１３Ｙ、１３Ｘは、後述する固定レチクルブラインドによって規定されるレチクルＲ上の照明領域を更に制限するための矩形開口Ｋを形成するものであり、その駆動は後述する主制御装置（制御装置）５０によって制御される。
【００３７】
また、各ブレード１３Ｙ、１３Ｘには、エアベアリング１９（図３参照）がガイド１１Ｙ、１１Ｘに対向してそれぞれ配置されており、各ブレード１３Ｙ、１３Ｘはガイド１１Ｙ、１１Ｘに対して非接触で相対移動する。さらに、各ブレード１３Ｙ、１３Ｘには、図３（ａ）、（ｂ）に示すように、エアベアリング１９と対をなして電歪素子であるピエゾ素子（駆動装置）１５が配設されている。ピエゾ素子１５は、エアベアリング１９とブレード１３Ｙ、１３Ｘとの間に配置されており、主制御装置５０の制御により伸縮することで、エアベアリング１９をガイド１１Ｙ、１１Ｘに対してそれぞれ離間・接近させる。そして、図３（ａ）に示すように、これらエアベアリング１９及びピエゾ素子１５の対を、ガイド１１Ｙ、１１Ｘの開口Ｋ側に一箇所、逆側に互いに間隔をあけて二箇所配置し、各ピエゾ素子１５の駆動を制御することで、各ブレード１３Ｙ、１３Ｘを露光光の光軸と平行な軸周りに回転駆動することが可能な構成になっている。
【００３８】
第２照明光学系ＩＯＰ２は、照明系ハウジング１７内に所定の位置関係で収納された固定レチクルブラインド（照明領域規制装置）２１（図４参照）、レンズ、ミラー、リレーレンズ系、メインコンデンサレンズ等（いずれも不図示）を備えている。固定レチクルブラインド２１は、照明系ハウジング１７の入射端近傍のレチクルＲのパターン面に対する共役面から僅かにデフォーカスした面に配置され、図４に示すように、レチクルＲ上の照明領域を規定する矩形状の開口部が形成されている。この固定レチクルブラインド２１の開口部２１ａは、投影光学系ＰＬの円形視野内の中央で走査露光時のレチクルＲの移動方向（Ｙ軸方向）と直交したＸ軸方向に直線的に伸びたスリット状又は矩形状に形成されている。
【００３９】
また、固定レチクルブラインド２１のＸ方向の一端縁には、互いに間隔をあけて電歪素子であるピエゾ素子（駆動装置）２３が配設されている。ピエゾ素子２３は、固定レチクルブラインド２１と当該固定レチクルブラインド２１を支持する支持部（不図示）との間に配置されており、主制御装置５０の制御により伸縮することで、固定レチクルブラインド２１を支持部に対してそれぞれ離間・接近させる。そして、各ピエゾ素子２３の駆動を個別に制御することで、固定レチクルブラインド２１を露光光の光軸と平行な軸周りに回転駆動することが可能な構成になっている。
【００４０】
可動レチクルブラインド２８のブレード１３Ｙ、１３Ｘで形成される開口部Ｋを通過したパルス紫外光は、固定レチクルブラインド２１の開口部２１ａを一様な強度分布で照明する。固定レチクルブラインド２１の開口部２１ａを通ったパルス紫外光は、レンズ、ミラー、リレーレンズ系、主コンデンサレンズ系を経て、レチクルステージＲＳＴ上に保持されたレチクルＲ上の所定の照明領域（Ｘ軸方向に直線的に伸びたスリット状又は矩形状の照明領域）を均一な照度分布で照明する。
【００４１】
なお、第１照明光学系ＩＯＰ１と第２照明光学系ＩＯＰ２とを強固に接合すると、可動レチクルブラインド２８の駆動に起因して露光動作中に第１照明光学系ＩＯＰ１に生じる振動が第２のコラム５２に支持された第２照明光学系ＩＯＰ２にそのまま伝達されることとなって、好ましくない。このため、本実施形態では、第１照明光学系ＩＯＰ１と第２照明光学系ＩＯＰ２との間は、両者の相対変位を可能にし、かつその内部を外気に対して気密状態にすることが可能な接続部材としての伸縮自在の蛇腹状部材９４を介して接合されている。
【００４２】
図１に戻り、本体コラム１４は、ベースプレートＢＰ上に設けられた複数本（ここでは４本）の支持部材４０Ａ〜４０Ｄ（但し、紙面奥側の支柱４０Ｃ、４０Ｄは図示省略）及びこれらの支持部材４０Ａ〜４０Ｄの上部にそれぞれ固定された防振ユニット４２Ａ〜４２Ｄ（但し、図１においては紙面奥側の防振ユニット４２Ｃ、４２Ｄは図示せず、図５参照）を介してほぼ水平に支持された鏡筒定盤４４と、この鏡筒定盤４４の下面から下方に吊り下げられた吊り下げコラム４６と、鏡筒定盤４４上に設けられた第１、第２の支持コラム４８、５２とを備えている。
【００４３】
前記防振ユニット４２Ａ〜４２Ｄは、支持部材４０Ａ〜４０Ｄそれぞれの上部に直列（又は並列）に配置された内圧が調整可能なエアマウントとボイスコイルモータ（不図示）とを含んで構成されている。これらの防振ユニット４２Ａ〜４２Ｄによって、ベースプレートＢＰ及び支持部材４０Ａ〜４０Ｄを介して鏡筒定盤４４に伝わる床面ＦＤからの微振動がマイクロＧレベル（Ｇは重力加速度）で絶縁される構成になっている。
【００４４】
前記鏡筒定盤４４は鋳物等で構成されており、その中央部に平面視円形の開口が形成され、その内部に投影光学系ＰＬがその光軸方向をＺ軸方向として上方から挿入されている。投影光学系ＰＬの鏡筒部の外周部には、該鏡筒部に一体化されたフランジＦＬＧが設けられている。このフランジＦＬＧの素材としては、低熱膨張の材質、例えばインバー（Ｉｎｖｅｒ；ニッケル３６％、マンガン０．２５％、及び微量の炭素と他の元素を含む鉄からなる低膨張の合金）が用いられており、このフランジＦＬＧは、投影光学系ＰＬを鏡筒定盤４４に対して点と面とＶ溝とを介して３点で支持するいわゆるキネマティック支持マウントを構成している。このようなキネマティック支持構造を採用すると、投影光学系ＰＬの鏡筒定盤４４に対する組み付けが容易で、しかも組み付け後の鏡筒定盤４４及び投影光学系ＰＬの振動、温度変化、姿勢変化等に起因する応力を最も効果的に軽減できるという利点がある。
【００４５】
前記吊り下げコラム４６は、ウエハベース定盤５４と、該ウエハベース定盤５４をほぼ水平に吊り下げ支持する４本の吊り下げ部材５６とを備えている。また、第１の支持コラム４８は、鏡筒定盤４４の上面に投影光学系ＰＬを取り囲んで植設された４本の脚５８（紙面奥側の脚は図示省略）と、これら４本の脚５８によってほぼ水平に支持されたレチクルベース定盤６０とを備えている。同様に、第２の支持コラム５２は、鏡筒定盤４４の上面に、第１の支持コラム４８を取り囲む状態で植設された４本の支柱６２（紙面奥側の支柱は図示省略）と、これら４本の支柱６２によってほぼ水平に支持された天板６４とによって構成されている。この第２の支持コラム５２の天板６４によって、前述した第２部分光学系ＩＯＰ２が支持されている。
【００４６】
また、本体コラム１４を構成する鏡筒定盤４４には、図１では図示が省略されているが、実際には、本体コラム１４のＺ方向の振動を計測する３つの振動センサ（例えば加速度計）とＸＹ面内方向の振動を計測する加速度計などの３つの振動センサ（例えば、この内の２つの振動センサは、本体コラム１４のＹ方向の振動を計測し、残りの振動センサは、本体コラム１４のＸ方向の振動を計測する）とが取り付けられている。以下においては、便宜上、これら６つの振動センサを総称して振動センサ群６６と呼ぶものとする。
【００４７】
この振動センサ群６６の計測値は、主制御装置５０に供給されるようになっている（図５参照）。従って、主制御装置５０では、振動センサ群６６の計測値に基づいて本体コラム１４の６自由度方向の振動を求めることができる。そして、主制御装置５０では、例えばレチクルステージＲＳＴ、ウエハステージＷＳＴの移動時等には、振動センサ群６６の計測値に基づいて求めた本体コラム１４の６自由度方向の振動を除去すべく、防振ユニット４２Ａ〜４２Ｄの速度制御を例えばフィードバック制御あるいはフィードバック制御及びフィードフォワード制御によって行い、本体コラム１４の振動を効果的に抑制することが可能である。
【００４８】
前記レチクルステージＲＳＴは、本体コラム１４を構成する第１の支持コラム４８を構成するレチクルベース定盤６０上に配置されている。レチクルステージＲＳＴは、例えば磁気浮上型の２次元リニアアクチュエータ等から成るレチクルステージ駆動系６８（図１では図示せず、図５参照）によって駆動され、レチクルＲをレチクルベース定盤６０上でＹ軸方向に大きなストロークで直線駆動するとともに、Ｘ軸方向とθｚ方向（Ｚ軸回りの回転方向）に関しても微小駆動が可能な構成となっている。
【００４９】
前記レチクルステージＲＳＴの一部には、その位置や移動量を計測するための位置検出装置であるレチクルレーザ干渉計７０からの測長ビームを反射する移動鏡７２が取り付けられている。レチクルレーザ干渉計７０は、レチクルベース定盤６０に固定され、投影光学系ＰＬの上端部側面に固定された固定鏡Ｍｒを基準として、レチクルステージＲＳＴ（すなわちレチクルＲ）のＸＹ面内の位置（θｚ回転を含む）を例えば、０．５〜１ｎｍ程度の分解能で検出するようになっている。
【００５０】
上記のレチクルレーザ干渉計７０によって計測されるレチクルステージＲＳＴ（即ちレチクルＲ）の位置情報（又は速度情報）は主制御装置５０に送られる（図５参照）。主制御装置５０は、基本的にはレチクルレーザ干渉計７０から出力される位置情報（或いは速度情報）が指令値（目標位置、目標速度）と一致するように（具体的にはウエハステージＷＳＴと追従するように）レチクルステージ駆動系６８を制御する。
【００５１】
前記投影光学系ＰＬとしては、ここでは、物体面（レチクルＲ）側と像面（ウエハＷ）側の両方がテレセントリックで円形の投影視野を有し、石英や螢石を光学硝材とした屈折光学素子（レンズ素子）のみから成る１／４、１／５、又は１／６縮小倍率の屈折光学系が使用されている。このため、レチクルＲにパルス紫外光が照射されると、レチクルＲ上の回路パターン領域のうちのパルス紫外光によって照明された部分からの結像光束が投影光学系ＰＬに入射し、その回路パターンの部分倒立像がパルス紫外光の各パルス照射の度に投影光学系ＰＬの像面側の円形視野の中央にスリット状または矩形状（多角形）に制限されて結像される。これにより、投影された回路パターンの部分倒立像は、投影光学系ＰＬの結像面に配置されたウエハＷ上の複数のショット領域のうちの１つのショット領域表面のレジスト層に縮小転写される。
【００５２】
前記ウエハステージＷＳＴは、前述した吊り下げコラム４６を構成するウエハベース定盤５４上に配置され、例えば磁気浮上型の２次元リニアアクチュエータ等から成るウエハステージ駆動系７４（図１では図示せず、図５参照）によってＸＹ面内で自在に駆動されるようになっている。
【００５３】
ウエハステージＷＳＴの上面に、ウエハホルダ７６を介してウエハＷが真空吸着等によって固定されている。ウエハステージＷＳＴのＸＹ位置及び回転量（ヨーイング量、ローリング量、ピッチング量）は、投影光学系ＰＬの鏡筒下端に固定された参照鏡Ｍｗを基準としてウエハステージＷＳＴの一部に固定された移動鏡７８の位置変化を計測するウエハレーザ干渉計８０によって所定の分解能、例えば０．５〜１ｎｍ程度の分解能でリアルタイムに計測される。このウエハレーザ干渉計８０の計測値は、主制御装置５０に供給されるようになっている（図５参照）。
【００５４】
図５には、上述した露光装置１０の制御系の構成が簡単に示されている。この制御系は、ワークステーション（又はマイクロコンピュータ）から成る主制御装置５０を中心として構成されている。主制御装置５０は、これまでに説明した各種の制御を行う他、装置全体を統括的に制御する。
【００５５】
次に、上述のようにして構成された露光装置１０における露光動作の概略についてまず説明する。
ウエハステージＷＳＴ上にウエハＷが搬送され、フォーカス調整が終了すると、不図示のアライメント系を用いてレチクルＲとウエハＷとを位置決め（アライメント）する。このようにして、ウエハＷの露光のための準備動作が終了すると、主制御装置５０では、アライメント結果に基づいてウエハレーザ干渉計８０の計測値をモニタしつつウエハステージ駆動系７４を制御してウエハＷの第１ショットの露光のための走査開始位置にウエハステージＷＳＴを移動する。
【００５６】
そして、主制御装置５０ではレチクルステージ駆動系６８及びウエハステージ駆動系７４を介してレチクルステージＲＳＴとウエハステージＷＳＴとのＹ方向の走査を開始し、両ステージＲＳＴ、ＷＳＴがそれぞれの目標走査速度に達すると、パルス紫外光によってレチクルＲのパターン領域が照明され始め、走査露光が開始される。なお、この走査露光の開始に先立って、光源１２の発光は開始されているが、主制御装置５０によってレチクルブラインド装置を構成する可動ブラインド２８の各可動ブレード１３Ｙ、１３Ｘの移動がレチクルステージＲＳＴ（すなわちレチクルＲ）の移動と同期制御されているため、レチクルＲ上のパターン領域外へのパルス紫外光の照射が遮光される。
【００５７】
主制御装置５０では、特に上記の走査露光時にレチクルステージＲＳＴのＹ軸方向の移動速度ＶｒとウエハステージＷＳＴのＹ軸方向の移動速度Ｖｗとが投影光学系ＰＬの投影倍率（１／４倍、１／５倍あるいは１／６倍）に応じた速度比に維持されるようにレチクルステージ駆動系６８及びウエハステージ駆動系７４を介してレチクルステージＲＳＴ及びウエハステージＷＳＴを同期制御する。
【００５８】
そして、レチクルＲのパターン領域がパルス紫外光で逐次照明され、パターン領域全面に対する照明が完了することにより、ウエハＷ上の第１ショットの走査露光が終了する。これにより、レチクルＲのパターンが投影光学系ＰＬを介して第１ショットに縮小転写される。このようにして、第１ショットの走査露光が終了すると、主制御装置５０によりウエハステージ駆動系７４を介してウエハステージＷＳＴがＸ軸方向にステップ移動され、第２ショットへの露光のため走査開始位置に移動される。このステッピングの際に、主制御装置５０ではウエハステージＷＳＴの位置（ウエハＷの位置）を検出するウエハレーザ干渉計８０の計測値に基づいてウエハステージＷＳＴのＸ、Ｙ、θｚ方向の位置変位をリアルタイムに計測する。この計測結果に基づき、主制御装置５０ではウエハステージ駆動系７４を制御してウエハステージＷＳＴのＸＹ位置変位が所定の状態になるようにウエハステージＷＳＴの位置を制御する。
【００５９】
また、主制御装置５０ではウエハステージＷＳＴのθｚ方向の変位の情報に基づいてレチクルステージ駆動系６８を制御し、そのウエハＷ側の回転変位の誤差を補償するようにレチクルステージＲＳＴを回転制御する。そして、主制御装置５０では第２ショット領域に対して上記と同様の走査露光を行う。このようにして、ウエハＷ上のショットの走査露光（走査ステップ）と次ショット露光のためのステッピング動作（移動ステップ）とが繰り返し行われ、ウエハＷ上の露光対象ショット領域の全てにレチクルＲのパターンが順次転写される。
【００６０】
以下、図６乃至図８を参照して、ウエハＷ上の複数のショット領域Ｓ１〜Ｓ６を露光する際に、照明領域と各ショット領域とを相対移動させる動作について詳細に説明する。なお、ここでも便宜上、照明領域が図６（ａ）に示すショット領域Ｓ１〜Ｓ６に対して移動するものとして説明する。また、図６（ｂ）においては、ブレード１３Ｙ、１３Ｘで規制（設定）された照明領域Ｉ１〜Ｉ６を単に矩形で示す。さらに、これらの照明領域Ｉ１〜Ｉ６はＸ方向へのステップ移動を行わないが、ここでは便宜上ステップ移動するかのように図示している。また、レチクルステージＲＳＴ（レチクルＲ）は、ウエハステージＷＳＴ（ウエハＷ）の移動（Ｘ、Ｙ、θｚ）に対して追従するため、ここでは主にウエハＷ上のショット領域Ｓ１〜Ｓ６と照明領域との相対移動について言及する。
【００６１】
照明領域は、ショット領域Ｓ１に対する走査露光を行うべく、加速工程において走査速度まで加速した後に、等速工程において一定の走査速度で等速移動し、走査露光後には減速工程において減速を行う。また、上述したように、主制御装置５０はウエハＷの位置に追従移動するようにレチクルＲを位置制御及び速度制御するが、同様にレーザ干渉計７０の計測結果によりレチクルＲの位置・速度を検出し、レチクルＲの位置に追従移動するようにブレード１３Ｙ、１３Ｘを位置制御及び速度制御する。
【００６２】
このとき、主制御装置５０は、レチクルＲのＹ方向への移動に関してはブレード１３Ｙ、１３Ｙを駆動し、レチクルＲのＸ方向への移動に関してはブレード１３Ｘ、１３Ｘを駆動する。また主制御装置５０はレチクルＲがθＺ方向（Ｚ軸周りの回転方向）へ移動（回転）した際には、ピエゾ素子１５を駆動することで、ブレード１３Ｙ、１３ＸをθＺ方向へ回転させる。このように、ブレード１３Ｙ、１３ＸをレチクルＲにＹ方向、Ｘ方向、θＺ方向のいずれの方向についても追従させることが可能である。
【００６３】
ここで、Ｙ方向に関するブレード１３Ｙの、時間と速度との関係を図７に示す。この図に示すように、ブレード１３Ｙは、加速工程の期間Ｔ１で走査速度Ｖｙまで加速し、等速工程である期間Ｔ２で等速移動した後に減速工程である期間Ｔ３で減速する。この期間Ｔ２では、加速後の整定及びショット領域Ｓ１への走査露光が行われるが、主制御装置５０はショット領域Ｓ１を走査露光する際のブレード１３Ｙの減速工程終了時の位置Ｉ２と、ショット領域Ｓ２を走査露光する際のブレード１３Ｙの加速開始位置Ｉ３との位置関係に基づいて空走時間を設けるか否かを選択する。
【００６４】
具体的には、ショット領域Ｓ１、Ｓ２を走査露光する際の走査方向が逆方向（両方向）である場合には、ショット領域Ｓ１を走査露光する際のブレード１３Ｙの減速工程終了時の位置Ｉ２をショット領域Ｓ２を走査露光する際のブレード１３Ｙの加速開始位置Ｉ３と一致させるために、等速期間Ｔ２内の走査露光時間Ｔ２２後に整定時間Ｔ２１と同一時間の空走時間Ｔ２３を設けるモード（第２モード）を選択する。これにより、ブレード１３Ｙは等速期間Ｔ２において走査露光時間Ｔ２２後に空走時間（所定時間）Ｔ２３経過後に減速を開始し、以後走査方向を反転して加速期間Ｔ１、等速期間Ｔ２、減速期間Ｔ３を順次繰り返すことになる（図７中、実線で示す速度パターン）。
【００６５】
図８（ａ）に、ショット領域Ｓ１、Ｓ２に対して両方向での走査露光を順次行う場合にブレード１３Ｙが移動する軌跡を簡略的に示す。
この図に示すように、ショット領域Ｓ１を走査露光する際には、加速区間Ｄ１、整定区間Ｄ２、走査露光区間Ｄ３、空走区間Ｄ４、減速区間Ｄ５が設けられており、ブレード１３Ｙは減速区間Ｄ５の終端部位置Ｐ１で速度がゼロになる（停止する）。このときの空走区間Ｄ４の距離は、ショット領域Ｓ２を露光する際に走査速度Ｖｙまで加速した後の整定距離と同一に設定される。
【００６６】
そして、ショット領域Ｓ２を走査露光する際には、位置Ｐ１を加速開始位置として、加速区間Ｄ６、空走区間Ｄ４と同一距離の整定区間Ｄ７、走査露光区間Ｄ８、整定区間Ｄ２と同一距離の空走区間Ｄ９、減速区間Ｄ１０が設けられる。このように、走査方向が両方向のショット領域を順次走査露光する場合、整定区間と同距離の空走区間を設けることで、減速終了位置と次露光の加速開始位置とが同一になり、ブレード１３Ｙの移動工程を別途設ける必要がなくなる。
【００６７】
一方、走査方向が同一のショット領域を順次走査露光する場合、例えばショット領域Ｓ３、Ｓ４を順次露光する場合、図６（ｂ）に示すように、ショット領域Ｓ３を走査露光した後の減速工程終了時の位置Ｉ６はショット領域Ｓ４を露光する際の走査開始位置Ｉ５と一致しないため、図中矢印Ｉ７で示すように、ブレード１３Ｙを走査開始位置Ｉ５へ移動させる必要が生じる。ここで、ショット領域Ｓ３の露光時に走査露光時間Ｔ２２後に空走時間Ｔ２３を設けていると、減速工程終了時の位置は、その分ショット領域Ｓ３の走査開始位置と離間することになり、移動時間が多くかかってしまう。そこで、このような場合、主制御装置５０は走査露光時間Ｔ２２後に空走時間Ｔ２３を設けずに直ちに減速工程に入るモード（第１モード）を選択する。これにより、ショット領域Ｓ３を走査露光する際の等速期間Ｔ’２は、空走時間を含まない整定時間Ｔ２１及び走査露光時間Ｔ２２から構成されることになる（図７中、破線で示す速度パターン）。
【００６８】
図８（ｂ）に、ショット領域Ｓ３、Ｓ４に対して一方向（片方向）での走査露光を順次行う場合にブレード１３Ｙが移動する軌跡を簡略的に示す。
この図に示すように、ショット領域Ｓ３を走査露光する際には、加速区間Ｄ１、整定区間Ｄ２、走査露光区間Ｄ３、減速区間Ｄ５が設けられており、ブレード１３Ｙは図８（ａ）に対して空走区間Ｄ４の距離分短い、減速区間Ｄ５の終端部位置Ｐ２で速度がゼロになる（停止する）。
【００６９】
そして、ショット領域Ｓ４を走査露光する際には、ブレード１３Ｙは位置Ｐ２から、加速区間Ｄ６、走査露光区間Ｄ８（露光は行わない）、空走区間Ｄ９、減速区間Ｄ１０を経て、ショット領域Ｓ４の走査開始位置Ｐ３まで一旦移動する。この後、ショット領域Ｓ３と同様に、走査開始位置Ｐ３から加速区間Ｄ’１、整定区間Ｄ’２、走査露光区間Ｄ’３、減速区間Ｄ’５を経ることでショット領域Ｓ４に対する走査露光を行う。なお、詳述していないが、レチクルステージＲＳＴ（レチクルＲ）及びウエハステージＷＳＴ（ウエハＷ）の移動に関しては、ブレード１３Ｙの移動と同様に、減速工程終了時の位置と次の走査開始位置との位置関係に基づいて空走時間の有無が設定されているものとする。
【００７０】
このように、本実施の形態では、片方向での走査露光を順次行う場合には、先のショット領域への露光時に空走区間を設けずに、走査露光終了時に直ちに減速工程を実施することで、図８（ｃ）に示すように、位置Ｐ２、Ｐ１間の距離Ｌ１を空走する必要がなくなるとともに、走査開始位置Ｐ３まで移動する距離Ｌ２も距離Ｌ１分だけ短くすることができる。結果として、ブレード１３Ｙの移動距離が２×Ｌ１分、短くなり、移動に要する時間を短縮することができるため、走査露光に係るスループットを向上させることができる。特に、本実施の形態では、減速工程終了時の位置と次の走査開始位置との位置関係に基づいて、空走時間の有無が異なる二つのモードを選択することで種々の走査方向（露光順序）に応じて最適なシーケンスを設定することが可能になり、一層のスループット向上に寄与することができる。
【００７１】
また、本実施の形態では、ブレード１３Ｙ、１３ＸをＹ方向、Ｘ方向及びθＺ方向に駆動可能なので、走査露光時にレチクルＲに位置ずれが生じた場合でもレチクルＲに正確に追従移動させることができる。そのため、レチクルＲ上の不要なパターンがウエハＷ上に露光されたり、露光された回路パターンに誤差が生じることを防止できる。しかも、本実施の形態では、ブレード１３Ｙ、１３Ｘを加速工程から減速工程に亘ってレチクルＲに追従移動させているので、減速カーブの設定が不要で前位置決めを削除でき、スループットの向上に寄与できるとともに、走査露光の連続動作が終了するまで、ブレードの駆動に関するコマンド送出を行う必要がなくなり処理を簡明化することができる。加えて、本実施の形態では、露光レシピに基づいてではなく、実際にレチクルＲの位置情報を計測した結果に基づいてブレードを移動させているので、より高精度に追従させることも可能である。
【００７２】
なお、上記実施の形態では、走査方向をＹ方向として説明したが、これに限定されるものではなく、例えばＸ方向成分を含む斜め方向に走査移動させてもよい。この場合、レチクルステージＲＳＴ及びウエハステージＷＳＴの斜め方向の移動に対して、上述したようにブレード１３Ｙ、１３Ｘを追従移動させるとともに、ピエゾ素子２３を駆動して固定レチクルブラインド２１を回転させることで、開口部２１ａの延在方向を走査方向に対応させればよい。これにより、走査露光期間中にレチクルＲ及びウエハＷをＸ方向に移動させることができるため、走査露光後にＸ方向にステップ移動させる距離が短くなり、移動時間を短縮することが可能になる。
【００７３】
上記実施の形態では、ウエハステージＷＳＴ（ウエハＷ）に対してレチクルステージＲＳＴ（レチクルＲ）を追従移動させ、さらにレチクルステージＲＳＴ（レチクルＲ）に対してブレード１３Ｙ、１３Ｘを追従移動させる方式としたが、以下にブレード１３Ｙ、１３ＸをウエハステージＷＳＴ（ウエハＷ）に対して追従移動させる方式について説明する。
【００７４】
図１２は、上記実施形態で用いたブレード１３Ｙ、１３ＸをレチクルＲに追従移動させる場合の制御ループ図であり、図１３はその時の時間と速度との関係を示す図である。
図１２に示すように、ウエハステージ（基板ステージ）においては、位置指令（Ｘ、Ｙ、Ｚ、θＺ、θＸ、θＹ）が基準入力要素ＮＷに設定され、基準入力要素ＮＷからの基準入力信号が制御動作信号としてウエハステージ駆動系７４を含む制御要素ＳＷに出力される。制御要素ＳＷは、制御動作信号に基づき制御対象ＴＷとしてのウエハステージＷＳＴを駆動する。レーザ干渉計８０を含むフィードバック要素ＦＷで計測されたウエハステージＷＳＴの位置はフィードバックされ、制御要素ＳＷの制御動作信号に反映される。
【００７５】
また、レチクルステージ（マスクステージ）においては、ウエハステージＷＳＴの位置が入力し、投影光学系ＰＬの投影倍率（例えば４倍）に応じた位置が基準入力要素ＮＲに設定され、基準入力要素ＮＲからの基準入力信号が制御動作信号としてレチクルステージ駆動系６８を含む制御要素ＳＲに出力される。制御要素ＳＲは、制御動作信号に基づき制御対象ＴＲとしてのレチクルステージＲＳＴを駆動する。レーザ干渉計７０を含むフィードバック要素ＦＲで計測されたレチクルステージＲＳＴの位置はフィードバックされ、制御要素ＳＲの制御動作信号に反映される。
【００７６】
同様に、ブレード（ブラインドステージ）においては、レチクルステージＲＳＴの位置が入力し、ブレード１３Ｙ、１３Ｘで形成される開口部Ｋの大きさと、開口部Ｋで形成されるレチクルＲの照明領域の大きさとの比（倍率）に応じた位置が基準入力要素ＮＢに設定され、基準入力要素ＮＢからの基準入力信号が制御動作信号としてピエゾ素子１５を含む制御要素ＳＢに出力される。制御要素ＳＢは、制御動作信号に基づき制御対象ＴＢとしてのブレード１３Ｙ、１３Ｘを駆動する。ブレード１３Ｙ、１３Ｘの位置はフィードバック要素ＦＢによりフィードバックされ、制御要素ＳＢの制御動作信号に反映される。
【００７７】
この制御ループでの制御下では、図１３に示されるように、位置指令に対する基板ステージ、基板ステージに追従するマスクステージ、マスクステージに追従するブラインドステージにそれぞれ遅れ量が生じる。その結果、ブラインドステージは、基板ステージに対して遅れが伝播することになり遅れ量が大きくなってしまうため、各ステージが走査速度に達した後の整定時間が長くなる。そこで、本実施の形態では、図１４に示すように、マスクステージ及びブラインドステージの双方において、ウエハステージＷＳＴの位置が入力し、それぞれ基板ステージに対する倍率に応じた位置が基準入力要素ＮＲ、ＮＢに設定される。
【００７８】
この場合、ブラインドステージは、マスクステージではなく基板ステージに追従移動することになり、図１５に示されるように、遅れが伝播しないため、基板ステージに対するブラインドステージの遅れ量がマスクステージと同等に小さくなる。その結果、各ステージが走査速度に達した後の整定時間を短くすることができる。
【００７９】
また、上記実施の形態におけるブレード１３ＹのレチクルＲへの追従移動は、加速工程開始時から減速工程終了時までを含めば、ステップ移動時にも実施させてもよい。また、上記実施の形態では、ブレード１３Ｙ、１３Ｘ及び固定レチクルブラインド２１をθＺ方向に回転駆動する手段としてピエゾ素子を用いる構成としたが、これに限られず、電動モータ等、他の駆動手段を用いる構成としてもよい。
【００８０】
なお、上記実施の形態では、オプティカルインテグレータ（ホモジナイザ）としてフライアイレンズを用いるものとしたが、その代わりにロッド・インテグレ一夕（内面反射型インテグレータ）、回折光学素子あるいはマイクロレンズアレイ等を用いるようにしても良い。ロッド・インテグレータを用いる照明光学系では、ロッド・インテグレータはその射出面がレチクルＲのパターン面とほぼ共役になるように配置されるので、例えばロッド・インテグレータの射出面に近接して前述の可動ブラインド２８Ｊの可動ブレードを配置する。従って、この照明光学系はロッド・インテグレータを境にして２分割され、上記実施形態と同様に、可動ブラインドはロッド・インテグレータが配置される第１部分に設けられ、固定ブラインドは本体コラムに固定される第２部分に設けられる。なお、ロッド・インテグレータを用いる照明光学系は、例えば米国特許第５６７５４０１号に開示されている。また、フライアイレンズとロッド・インテグレータとを組み合わせる、あるいは２つのロッド・インテグレータを直列に配置してダブルオプティカルインテグレータとしても良い。さらには、回折光学素子とロッド・インテグレータ又はマイクロレンズアレイ等の組み合わせでダブルインテグレータを構成してもよい。
【００８１】
また、上記実施形態では、防振ユニット４２Ａ〜４２Ｄとしてアクティブ防振装置を用いる場合について説明したが、本発明がこれに限定されないことは勿論である。すなわち、これらはパッシブ防振装置であっても良い。
【００８２】
また、例えば、上記実施形態と同様に紫外光を用いる露光装置であっても、投影光学系として反射光学素子のみからなる反射系、又は反射光学素子と屈折光学素子とを有する反射屈折系（カタッディオプトリック系）を採用しても良い。ここで、反射屈折型の投影光学系としては、例えば特開平８―１７１０５４号公報（及びこれに対応する米国特許第５，６６８，６７２号）、並びに特開平１０−２０１９５号公報（及びこれに対応する米国特許第５，８３５，２７５号）などに開示される、反射光学素子としてビームスプリッタと凹面鏡とを有する反射屈折系、又は特開平８−３３４６９５号公報（及びこれに対応する米国特許第５，６８９，３７７号）、並びに特開平１０−３０３９号公報（及びこれに対応する米国特許出願第８７３，６０５号（出願日：１９９７年６月１２日））などに開示される、反射光学素子としてビームスプリッタを用いずに凹面鏡などを有する反射屈折系を用いることができる。
【００８３】
この他、特開平１０−１０４５１３号公報（及び米国特許第５，４８８，２２９号）に開示される、複数の屈折光学素子と２枚のミラー（凹面鏡である主鏡と、屈折素子又は平行平面板の入射面と反対側に反射面が形成される裏面鏡である副鏡）とを同一軸上に配置し、その複数の屈折光学素子によって形成されるレチクルパターンの中間像を、主鏡と副鏡とによってウエハ上に再結像させる反射屈折系を用いても良い。この反射屈折系では、複数の屈折光学素子に続けて主鏡と副鏡とが配置され、照明光が主鏡の一部を通って副鏡、主鏡の順に反射され、さらに副鏡の一部を通ってウエハ上に達することになる。
【００８４】
さらに、反射屈折型の投影光学系としては、例えば円形イメージフィールドを有し、かつ物体面側、及び像面側が共にテレセントリックであるとともに、その投影倍率が１／４倍又は１／５倍となる縮小系を用いても良い。また、この反射屈折型の投影光学系を備えた走査型露光装置の場合、照明光の照射領域が投影光学系の視野内でその光軸をほぼ中心とし、かつレチクル又はウエハの走査方向とほぼ直交する方向に沿つて延びる矩形スリット状に規定されるタイプであっても良い。かかる反射屈折型の投影光学系を備えた走査型露光装置によれば、例えば波長１５７ｎｍのＦ２レーザ光を露光用照明光として用いても１００ｎｍＬ／Ｓパターン程度の微細パターンをウエハ上に高精度に転写することが可能である。
【００８５】
また、真空紫外光としてＡｒＦエキシマレーザ光やＦ２レーザ光などが用いられるが、ＤＦＢ半導体レーザ又はファイバーレーザから発振される赤外域、又は可視域の単一波長レーザ光を、例えばエルビウム（又はエルビウムとイットリビウムの両方）がドープされたファイバーアンプで増幅し、非線形光学結晶を用いて紫外光に波長変換した高調波を用いても良い。例えば、単一波長レーザの発振波長を１．５１〜１．５９μｍの範囲内とすると、発生波長が１８９〜１９９ｎｍの範囲内である８倍高調波、又は発生波長が１５１〜１５９ｎｍの範囲内である１０倍高調波が出力される。特に発振波長を１．５４４〜１．５５３μｍの範囲内とすると、発生波長が１９３〜１９４ｎｍの範囲内の８倍高調波、即ちＡｒＦエキシマレーザ光とほぼ同一波長となる紫外光が得られ、発振波長を１．５７〜１．５８μｍの範囲内とすると、発生波長が１５７〜１５８ｎｍの範囲内の１０倍高調波、即ちＦ２レ−ザ光とほぼ同一波長となる紫外光が得られる。また、発振波長を１．０３〜１．１２μｍの範囲内とすると、発生波長が１４７〜１６０ｎｍの範囲内である７倍高調波が出力され、特に発振波長を１．０９９〜１．１０６μｍの範囲内とすると、発生波長が１５７〜１５８μｍの範囲内の７倍高調波、即ちＦ２レーザ光とほぼ同一波長となる紫外光が得られる。この場合、単一波長発振レーザとしては例えばイットリビウム・ドープ・ファイバーレーザを用いることができる。
【００８６】
また、本実施の形態の基板としては、半導体デバイス用の半導体ウエハＷのみならず、液晶ディスプレイデバイス用のガラス基板や、薄膜磁気ヘッド用のセラミックウエハ、あるいは露光装置で用いられるマスクまたはレチクルの原版（合成石英、シリコンウエハ）等が適用される。
【００８７】
また、半導体素子などのマイクロデバイスだけでなく、光露光装置、ＥＵＶ露光装置、Ｘ線露光装置、及び電子線露光装置などで使用されるレチクル又はマスクを製造するために、ガラス基板又はシリコンウエハなどに回路パターンを転写する露光装置にも本発明を適用できる。ここで、ＤＵＶ（遠紫外）光やＶＵＶ（真空紫外）光などを用いる露光装置では一般的に透過型レチクルが用いられ、レチクル基板としては石英ガラス、フッ素がドープされた石英ガラス、蛍石、フッ化マグネシウム、又は水晶などが用いられる。また、プロキシミティ方式のＸ線露光装置、又は電子線露光装置などでは透過型マスク（ステンシルマスク、メンブレンマスク）が用いられ、マスク基板としてはシリコンウエハなどが用いられる。
【００８８】
勿論、半導体素子の製造に用いられる露光装置だけでなく、液晶表示素子などを含むディスプレイの製造に用いられる、デバイスパターンをガラスプレート上に転写する露光装置、薄膜磁気へッドの製造に用いられる、デバイスパターンをセラミックウエハ上に転写する露光装置、及び撮像素子（ＣＣＤなど）の製造に用いられる露光装置などにも本発明を適用することができる。
【００８９】
また、ウエハステージＷＳＴやレチクルステージＲＳＴにリニアモータ（米国特許第５，６２３，８５３号又は米国特許第５，５２８，１１８号の公報参照）を用いる場合は、エアべアリングを用いたエア浮上型に限らず、ローレンツ力又はリアクタンス力を用いた磁気浮上型のものを用いても良い。また、ステージは、ガイドに沿って移動するタイブでも良いし、ガイドを設けないガイドレスタイプでも良い。
【００９０】
以上のように、本願実施形態の露光装置１０は、本願特許請求の範囲に挙げられた各構成要素を含む各種サブシステムを、所定の機械的精度、電気的精度、光学的精度を保つように、組み立てることで製造される。これら各種精度を確保するために、この組み立ての前後には、各種光学系については光学的精度を達成するための調整、各種機械系については機械的精度を達成するための調整、各種電気系については電気的精度を達成するための調整が行われる。各種サブシステムから露光装置への組み立て工程は、各種サブシステム相互の、機械的接続、電気回路の配線接続、気圧回路の配管接続等が含まれる。この各種サブシステムから露光装置への組み立て工程の前に、各サブシステム個々の組み立て工程があることはいうまでもない。各種サブシステムの露光装置への組み立て工程が終了したら、総合調整が行われ、露光装置全体としての各種精度が確保される。なお、露光装置の製造は温度およびクリーン度等が管理されたクリーンルームで行うことが望ましい。
【００９１】
半導体デバイスは、図９に示すように、デバイスの機能・性能設計を行うステップ２０１、この設計ステップに基づいたマスク（レチクル）を製作するステップ２０２、シリコン材料からウエハを製造するステップ２０３、前述した実施形態の露光装置１０によりレチクルのパターンをウエハに露光するウエハ処理ステップ２０４、デバイス組み立てステップ（ダイシング工程、ボンディング工程、パッケージ工程を含む）２０５、検査ステップ２０６等を経て製造される。
【００９２】
【発明の効果】
以上説明したように、本発明では、走査露光に係るスループットを大幅に向上させることが可能になる。また、本発明では、ブラインドを露光光の光軸周りに関してもマスクに追従させることができるとともに、ブラインドの移動に関する処理を簡明化できるという効果を奏する。
【図面の簡単な説明】
【図１】本発明に係る走査型露光装置の全体構成を概略的に示す図である。
【図２】同走査型露光装置を構成する可動レチクルブラインドの平面図である。
【図３】（ａ）は同可動レチクルブラインドを構成するブレード及びガイドの平面図であり、（ｂ）は正面図である。
【図４】同走査型露光装置を構成する固定レチクルブラインドの平面図である。
【図５】同走査型露光装置における制御系の構成を示すブロック図である。
【図６】（ａ）は複数のショット領域に対する照明領域の相対的な移動経路を示す図であり、（ｂ）はブレードで規制された照明領域の移動を示す図である。
【図７】Ｙ方向に関するブレードの、時間と速度との関係を示す図である。
【図８】（ａ）は両方向での走査露光を順次行う場合にブレードが移動する軌跡を示す図であり、（ｂ）は片方向での走査露光を順次行う場合にブレードが移動する軌跡を示す図であり、（ｃ）は時間と速度との関係を示す図である。
【図９】半導体デバイスの製造工程の一例を示すフローチャート図である。
【図１０】従来技術における、照明領域とショット領域との相対的な移動経路を示す図である。
【図１１】従来技術におけるブレードの、時間と速度との関係を示す図である。
【図１２】ブレードをレチクルに追従移動させる場合の制御ループ図である。
【図１３】ブレードをレチクルに追従移動させる場合の時間と速度との関係を示す図である。
【図１４】ブレードをウエハに追従移動させる場合の制御ループ図である。
【図１５】ブレードをウエハに追従移動させる場合の時間と速度との関係を示す図である。
【符号の説明】
Ｒ  レチクル（マスク）
Ｗ  ウエハ（基板）
Ｔ２、Ｔ’２  等速工程
Ｔ３  減速工程
１０  走査型露光装置
１３Ｙ、１３Ｘ  ブレード（移動体、ブラインド）
１５、２３  ピエゾ素子（電歪素子、駆動装置）
２１  固定レチクルブラインド（照明領域規制装置）
２８  可動レチクルブラインド（照明領域規制装置）
【図１】
2004172470.tif 000003
【図２】
2004172470.tif 000004
【図３】
2004172470.tif 000005
【図４】
2004172470.tif 000006
【図５】
2004172470.tif 000007
【図６】
2004172470.tif 000008
【図７】
2004172470.tif 000009
【図８】
2004172470.tif 000010
【図９】
2004172470.tif 000011
【図１０】
2004172470.tif 000012
【図１１】
2004172470.tif 000013
【図１２】
2004172470.tif 000014
【図１３】
2004172470.tif 000015
【図１４】
2004172470.tif 000016
【図１５】
2004172470.tif 000017